【手続補正書】
【提出日】平成17年8月31日(2005.8.31)
【手続補正１】
【補正対象書類名】明細書
【補正対象項目名】全文
【補正方法】変更
【補正の内容】
【書類名】          明細書
【発明の名称】      コンバイン
【特許請求の範囲】   
【請求項１】  走行車台（２）の前側の刈取機（３）で刈取る刈取り穀稈を移送する穂先移送装置（２４）及び供給移送チエン（６）と、該穂先移送装置（２４）と該供給移送チエン（６）とから該穀稈を引継ぎ移送する脱穀機（９）前側の内補助移送チエン（７）と、該内補助移送チエン（７）からフィ−ドチエン（１０）と挾持杆（１１）とで該穀稈を引継ぎして移送中に脱穀する該脱穀機（９）を該走行車台（２）の上側に載置して設けたコンバインにおいて、該フィ−ドチエン（１０）の該穀稈を移送する山形状の突出部（２９）の高さ（Ｈ１）よりも、該内補助移送チエン（７）の該穀稈を移送する山形状の突出部（３０）の高さ（Ｈ２）の方を所定高さ高く形成して設けたことを特徴とするコンバイン。 
【請求項２】  請求項１の構成において、前方下部から上方後部へ上り傾斜する該供給移送チエン（６）の略作用範囲内で略同じ傾斜状態に該穀稈を案内する内ガイド板（１２）を設けたことを特徴とするコンバイン。 
【請求項３】  請求項１又は請求項２の構成において、前記内ガイド板（１２）を上下回動自在に設けたことを特徴とするコンバイン。 
【発明の詳細な説明】   
【０００１】   
【発明の属する技術分野】
この発明は、コンバインに関するものである。  
【０００２】   
【従来の技術】
コンバインで立毛穀稈を収穫作業するときは、このコンバインの前部に設けた刈取機で立毛穀稈は刈取りされ、この刈取り穀稈はこの刈取機の穂先移送装置、及び供給移送チエン等で上部へ移送される。脱穀機の前側の穀稈を移送する山形状の突出部が、フィ−ドチエンの穀稈を移送する山形状の突出部と同じ高さの内補助移送チエンヘ引継ぎして移送される。更に該脱穀機の該フィ−ドチエンと挾持杆とへこの穀稈は引継ぎされて移送中に脱穀される。脱穀済みで選別済みの穀粒は一時貯留される。  
【０００３】   
【発明が解決しようとする課題】
刈取機の穂先移送装置と供給移送チエンとで移送される穀稈を内補助移送チエンヘ引継ぎのときに、引継ぎ部で穀稈が停滞ぎみとなり、これにより、穀稈のこぼれが発生したり、移送姿勢がみだれたり、株揃えが悪くなったりすることがあったが、この発明により、これらの問題点を解決しようとするものである。  
【０００４】   
【課題を解決するための手段】
上述のような課題を解決するために、この発明は次のような技術的手段を講じる。
即ち、請求項１記載の発明は、走行車台（２）の前側の刈取機（３）で刈取る刈取り穀稈を移送する穂先移送装置（２４）及び供給移送チエン（６）と、該穂先移送装置（２４）と該供給移送チエン（６）とから該穀稈を引継ぎ移送する脱穀機（９）前側の内補助移送チエン（７）と、該内補助移送チエン（７）からフィ−ドチエン（１０）と挾持杆（１１）とで該穀稈を引継ぎして移送中に脱穀する該脱穀機（９）を該走行車台（２）の上側に載置して設けたコンバインにおいて、該フィ−ドチエン（１０）の該穀稈を移送する山形状の突出部（２９）の高さ（Ｈ１）よりも、該内補助移送チエン（７）の該穀稈を移送する山形状の突出部（３０）の高さ（Ｈ２）の方を所定高さ高く形成して設けたことを特徴とするコンバインとしたものである。
また、請求項２記載の発明は、請求項１の構成において、前方下部から上方後部へ上り傾斜する該供給移送チエン（６）の略作用範囲内で略同じ傾斜状態に該穀稈を案内する内ガイド板（１２）を設けたことを特徴とするコンバインとしたものである。
また、請求項３記載の発明は、請求項１又は請求項２の構成において、前記内ガイド板（１２）を上下回動自在に設けたことを特徴とするコンバインとしたものである。
【０００５】   
コンバインで立毛穀稈を収穫作業するときは、このコンバインの前部に設けた刈取機３で立毛穀稈は刈取りされ、この刈取り穀稈はこの刈取機３の前方下部から後方上部へ上り傾斜した穂先移送装置２４、及び供給移送チエン６等と、この供給移送チエン６の作用範囲内で略同じに上り傾斜して回動自在な穀稈を案内する内ガイド板１２とにより、上部へ移送される。この穀稈は脱穀機９の前側の穀稈を移送する内補助移送チエン７の山形状の突出部３０の高さ（Ｈ２）が、フィ−ドチエン１０の穀稈を移送する山形状の突出部２９の高さ（ＨＩ）より所定高さ高い該内補助移送チエン７により、引継ぎして移送される。更に該脱穀機９の該フィ−ドチエン１０と挾持杆１１とに、この穀稈は引継ぎされて移送中に脱穀される。脱穀済みで選別済みの穀粒は一時貯留される。  
【０００６】   
【発明の効果】
請求項１記載の発明によると、内補助移送チエン７の穀稈を移送する山形状の突出部３０の高さ（Ｈ２）をフィ−ドチエン１０の穀稈を移送する山形状の突出部２９の高さ（Ｈ１）より、所定高さ高くしたことにより、移送される穀稈は、該内補助移送チエン７で確実に引継ぎされて停滞することがなくなり、これにより、穀稈のこぼれ防止、移送姿勢のみだれ防止、及び株揃えのみだれ防止等ができた。
又、請求項２記載の発明によると、供給移送チエン６部で該内補助移送チエン７へ穀稈を案内する内ガイド板１２を設けたことにより、刈取機３の穂先移送装置２４、及び該供給移送チエン６等とによって移送される穀稈は、該内補助移送チエン７で確実に引継ぎされて停滞することがなくなり、これにより、穀稈のこぼれ防止、移送姿勢のみだれ防止、及び株揃えのみだれ防止等ができた。
又、請求項３記載の発明によると、更に前記内ガイド板１２を回動自在に設けたことにより、刈取機３の穂先移送装置２４、及び該供給移送チエン６等とによって移送される穀稈は、該内補助移送チエン７で確実に引継ぎされて停滞することがなくなり、これにより、穀稈のこぼれ防止、移送姿勢のみだれ防止、及び株揃えのみだれ防止等ができた。  
【０００７】   
【発明の実施の形態】
以下、本発明の一実施例を図面に基づいて説明する。
コンバイン１の走行車台２の前側に設けた刈取機３の刈刃装置４で刈取りした刈取り穀稈は、穂先移送装置２４、及び上部の供給移送チエン６等で移送され、内・外補助移送チエン７、８で引継ぎ移送し、更に該刈取機３の後方で該走行車台２に載置した脱穀機９のフィ−ドチエン１０と挾持杆１１とにより、引継ぎして移送する構成である。  
【０００８】
前記内・外補助移送チエン７、８及びフィ−ドチエン１０の形状、及び穀稈を案内する内・外ガイド板１２、１３等を図示して説明する。
前記コンバイン１の走行車台２の下側には、土壌面を走行する左右一対の走行クロ−ラ１４ａを張設した走行装置１４を配設した構成である。該走行車台２の上側には、フィ−ドチエン１０と挾持杆１１とにより、刈取り穀稈を内・外補助移送チエン７、８から引継ぎ挾持して移送中に脱穀し、脱穀済み穀粒を選別回収して、一時貯留する穀粒貯留タンク１５を平面視右横側に設けた脱穀機９を載置した構成である。  
【０００９】
前記穀粒貯留タンク１５の後側には、縦移送螺旋１６ａを内装した排出支持筒１６を略垂直姿勢で回動自在に装着して設け、この排出支持筒１６の上端部には、その全長がコンバイン１の前後長に亘る機外へ穀粒を排出する排出螺旋１７ａを収縮自在に内装した排出オ−ガ１７を収縮自在、上下回動自在、及び左右旋回自在に横方向へ配設した構成である。  
【００１０】
前記脱穀機９側には、コンバイン１の操作を行う操作装置５３と、操縦作業者が搭乗する操縦席５４等を設け、この操縦席５４の下側には、エンジン５５を載置すると共に、後方部には穀粒貯留タンク１５を配設した構成である。これら走行装置１４と、脱穀機９と、刈取機３と、エンジン５５等により、該コンバイン１の機体１ａを構成している。  
【００１１】
前記走行車台２の前側には、走行用のミッションケ−ス５６を設け、このミションケ−ス５６内の伝動経路中には、出力回転数に基づく走行車速を検出する車速センサ５６ａを設けた構成である。
前記脱穀機９の前部で走行車台２の前側には、先端部位置から立毛穀稈を分離するナロ−ガイド１８ａ、及び分草体１８ｂと、分離された穀稈を引起す引起装置１９と、引起された穀稈を掻込みする掻込スタホイル２０ａ、及び掻込ラグ付ベル２０ｂ等よりなる掻込装置２０と、掻込された穀稈を刈取る刈刃装置４と、刈取られた穀稈を移送する穂先移送装置２４、及び供給移送チエン６等を設けてなる刈取機３を設けた構成である。  
【００１２】
前記刈取機３は油圧駆動による伸縮シリンダ２１により、土壌面に対して昇降自在に作動する構成である。
前記刈取機３は、図４で示す如く株元移送チエン２２と、扱深調節チエン２３と、穂先移送装置２４等よりなる構成である。該扱深調節チエン２３は下部の回動メタル２３ａを回動中心として、扱深モ−タ２３ｂの正逆回転により、上下回動移動する構成である。又、該穂先移送装置２４は上下両側に上・下穂先ケ−ス２５ａ，２５ｂに内装した上・下穂先ラグ付チエン２６ａ，２６ｂを張設した構成である。  
【００１３】
前記穂先移送装置２４の上側には、移送される穀稈の長稈、及び短稈を検出する長稈検出杆２７ａ、及び短稈検出杆２７ｂの作動を検出するＯＮ−ＯＦＦスイッチ方式の検出スイッチ（図示せず）等よりなる穀稈センサ２７を設けた構成である。  
【００１４】
前記穂先移送装置２４の下側に所定間隔を設けて、三角形状に供給移送チエン６を張設した構成である。
前記脱穀機９の平面視左側部の移送始端部には、図１、及び図６で示す如く駆動スプロケット２８ａを軸支すると共に、移送終端部には、従動スプロケット２８ｂを軸支して設け、これら駆動・従動スプロケット２８ａ，２８ｂには、フィ−ドチエン１０を掛け渡した構成である。  
【００１５】
前記フィ−ドチエン１０の上側には、上下移動自在に挾持杆１１を設けた構成である。該フィ−ドチエン１０の左右両側のチエンプレ−ト１０ａ，１０ａの一方側には、図１、及び図３で示す如く穀稈を移送する山形状の突出部２９を設けた構成であり、この突出部２９の高さ（Ｈ１）は、所定高さに形成した構成である。又、後逑する内補助移送チエン７の左右両側のチエンプレ−ト７ａ，７ａの一方側には、図１、及び３で示す如く穀稈を移送する山形状の突出部３０を設けた構成であり、この突出部３０の高さ（Ｈ２）は、所定の高さに形成した構成である。後逑する外補助移送チエン８の左右両側のチエンプレ−ト８ａ，８ａの一方側には、図１、及び図３で示す如く穀稈を移送する山形状の突出部３１を設けた構成であり、この突出部３１の高さ（Ｈ３）は所定高さに形成した構成である。  
【００１６】
前記フィ−ドチエン７の突出部２９の高さ（Ｈ１）より、内・外補助移送チエン７、８の突出部３０、３１の高さ（Ｈ２），（Ｈ３）を所定高さ高く形成した構成であり、穂先移送装置２４と供給移送チエン６とで移送される穀稈の引継ぎ移送を確実にする構成である。｛（Ｈ１）＜（Ｈ２）＝（Ｈ３）｝引継ぎ部での移送姿勢の向上、株揃えの向上、及び穀稈のこぼれを防止する構成である。  
【００１７】
支持メタル３２と脱穀機９の前側機壁９ａの折曲部９ｂとの間には、図１、及び図２で示す如く断面形状コ字状の接続プレ−ト３３を設けた構成である。
前記接続プレ−ト３３の外側面には、図１〜図３で示す如く内・外補助移送チエン７、８よりなる補助移送装置３４の伝動機構３５ａを内装した伝動ケ−ス３５を設け、この伝動ケ−ス３５に軸支した下軸３６の一方側の軸端部に設けたプ−リ３６ａと、保持メタル３７の外側に設けたプ−リ３７ａとには、ベルト３８を掛け渡した構成である。  
【００１８】
前記伝動ケ−ス３５に軸支した中軸３９の一方側の軸端部には、スプロケット３９ａを軸支して設け、他方側の軸端部には、ギヤ−３９ｂを軸支して設けた構成である。このスプロケット３９ａと、下軸３６の他方側の軸端部に設けたスプロケット３６ｂとには、チエン３８ａを掛け渡した構成である。  
【００１９】
前記伝動ケ−ス３５に軸支した上軸４０の一方側の軸端部には、ギヤ−４０ａを軸支して設けると共に、他方側の軸端部には、スプロケット４０ｂを軸支した構成である。このギヤ−４０ａと中軸３９のギヤ−３９ｂとは噛合する構成である。  
【００２０】
前記内補助移送チエン７は、上軸４０のスプロケット４０ｂと、支持軸４１で軸支した二段スプロケット４２の内側スプロケット４２ａと、該上軸４０の上側に設けた支持軸４３ａで軸支したスプロケット４３ｂとに、略三角形状に掛け渡した構成であり、この内補助移送チエン７の上側部は略水平状態に形成した構成である。  
【００２１】
前記外補助移送チエン８は二段スプロケット４２の外側スプロケット４２ｂと、支持軸４３ｃで軸支したスプロケット４３ｄとに掛け渡した構成であり、この外補助移送チエン８の上側部はチエン摺し等により、大外径の円形状に形成した構成であり、この外補助移送チエン８の外側には、箱形状の安全カバ−４４を設けた構成である。  
【００２２】
前記フィ−ドチエン１０の移送始端部の前後位置、及び上下位置は支持軸４３ａと略同じ位置とし、又、左右方向位置は外補助移送チエン８と略同じ位置とした構成である。
前記刈取機２の穂先移送装置２４と供給移送チエン６とで移送される刈取り穀稈は、補助移送装置３４の内・外補助移送チエン７、８へ供給され、これら内・外補助移送チエン７、８及び後逑する内・外ガイド板１２、１３により、確実に株元側と、この株元側より、若干穂先側との両方を引継ぎ挾持して移送され、更にフィ−ドチェン１０と挾持杆１１とへ引継ぎして挾持移送され、この移送中に脱穀機９で脱穀する構成である。  
【００２３】
前記フィ−ドチエン１０の左右両側のチエンプレ−ト１０ａの突出部２９の高さ（Ｈ１）と、内・外補助移送チエン７、８の左右両側のチエンプレ−ト７ａ，８ａの突出部３０、３１との関係は、前記以外に次の如く形成した構成とするもよい。  
【００２４】
前記フィ−ドチエン１０の突出部２９の高さ（Ｈ１）と、外補助移送チエン８の突出部３１の高さ（Ｈ３）とは、略同じ高さとし、これら高さ（Ｈ１），（Ｈ３）より、内補助移送チエン７の突出部３０の高さ（Ｈ２）を所定高さ高く形成した構成である。｛（Ｈ１）＝（Ｈ３）〈（Ｈ２）｝。  
【００２５】
これにより、引継ぎ部での穀稈の移送姿勢、及び株揃えが向上する。又、穀稈のこぼれが防止できる。
前記フィ−ドチエン１０の突出部２９の高さ（Ｈ１）と、内補助移送チエン７の突出部３０の高さ（Ｈ２）とは、略同じ高さとし、これら高さ（Ｈ１），（Ｈ２）より、外補助移送チエン８の突出部３１の高さ（Ｈ３）を所定高さ高く形成した構成である。｛（Ｈ１）＝（Ｈ２）〈（Ｈ３）｝。  
【００２６】
これにより、引継ぎ部での穀稈の移送姿勢、及び株揃えが向上する。又、穀稈のこぼれが防止できる。
前記フィ−ドチェン１０の突出部２９の高さ（Ｈ１）より、外補助移送チエン８の突出部３１の高さ（Ｈ３）を所定高さ高く形成し、更にこの高さ（Ｈ３）より、内補助移送チエン７の突出部３０の高さ（Ｈ２）を所定高さ高く形成した構成である。｛（Ｈ１）〈（Ｈ３）〈（Ｈ２）｝。  
【００２７】
これにより、引継ぎ部での穀稈の移送姿勢、及び株揃えが向上する。又、穀稈のこぼれが防止できる。
前記フィ−ドチエン１０の突出部２９の高さ（Ｈ１）より、内補助移送チエン７の突出部３０の高さ（Ｈ２）を所定高さ高く形成し、更にこの高さ（Ｈ２）より、外補助移送チエン８の突出部３１の高さ（Ｈ３）を所定高さ高く形成した構成である。｛（Ｈ１）〈（Ｈ２）〈（Ｈ３）｝。  
【００２８】
これにより、引継ぎ部での穀稈の移送姿勢、及び株揃えが向上する。又、穀稈のこぼれを防止できる。
前記供給移送チエン６の左側には、図５、及び図６で示す如く刈取機３の支持杆４８の上方部に設けた支持板４５に支持軸４５ａを固着した構成である。  
【００２９】
前記内ガイド板１２は、図５、及び図６で示す如く挿入孔４６ａを中央部に設けた回動ボス４６の一方側端部に略Ｌ字形状の取付板４７を固着して設け、この取付板４７の縦板の上端部には、該回動ボス４６の挿入孔４６ａに重合する挿入孔４７ａを設けた構成である。該取付板４７の下板の下側面には、板バネ材よりなる該内ガイド板１２を装着した構成である。該回動ボス４６の該挿入孔４６、及び該取付板４７の挿入孔４７ａを支持板４５の支持軸４５ａへ挿入し、該内ガイド板１２は該支持軸４５ａを回動中心として、上り傾斜は同じ傾斜状態に上下に回動自在に設けた構成である。  
【００３０】
前記内ガイド板１２は板バネ材よりなる構成であり。全長（Ｌ２）は供給移送チエン６の作用範囲（Ｌ１）より、若干長くした構成である。又、傾斜角は、該供給チェン６の上り傾斜と略同じ上り傾斜に装着すると共に、左右方向位置は内補助移送チエン７と略同じ位置に位置させて設けた構成である。  
【００３１】
これにより、前記内ガイド板１２は板バネ材よりなり、供給移送チエン６の上り傾斜と略同じにしたことにより、この供給移送チエン６に対する挾持が強く、面で穀稈を押すことにより、穀稈移送の抵抗になりにくく、又、上下回動させたことにより移送する穀稈量に関係なく確実に移送することができる。  
【００３２】
前記外ガイド１３は、図５、及び図６で示す如く刈取機３の支持杆４８の上方部の上側面には、断面形状コ字形状の受板４９を固着して設け、この受板４９の上側面に該外ガイド板１３を装着した構成である。
前記外ガイド板１３は、図５、及び図６で示す如く板バネ材よりなる構成であり、この外ガイド板１３は外補助移送チエン８からフィ−ドチェン１０の移送始端部間にわたり、これら外補助移送チエン８、及びフィ−ドチェン１０の上側に、該外補助チエン８より、所定幅狭幅にして設けた構成である。  
【００３３】
これにより、前記外ガイド板１３は外補助移送チエン８、及びフィ−ドチエン１０に対して、略直角状に作用することにより、確実に穀稈を挾持して移送できる。
前記穂先移送装置２４の上下両側の上・下穂先ケ−ス２５ａ，２５ｂに内装した上穂先ラグ付チエン２６ａの穂先ラグ２４ａは、起立、及び倒伏状態に回動自在に装着した構成である。上側の上穂先ケ−ス２５ａの非作用側の取付板５０には、図７、及び図８で示す如くゴム材、又は樹脂材よりなるスクレ−パ５１を所定角度（α）位置に設けると共に、このスクレ−パ５１の内側端部には、該穂先ラグ２４ａに接触して符付する泥、及び藁屑等を除去する切欠部５１ａを設けると共に、該スクレ−パ５１の外側端部には、Ｌ字形状の装着板５２を設け、この装着板５２の先端部には、穂先ラグ２４ａを非作用状態の倒し状態にするラグ当具５２ａを設けた構成である。  
【００３４】
これにより、前記上・下穂先ケ−ス２５ａ，２５ｂ内へ泥、及び藁屑等の持込みが防止できる。又、穂先ラグ２４ａに泥、及び藁屑等の付着がないことにより、作用側でのすべりが良好となり、穀稈の移送が確実になる。前記スクレ−パ５１の先端部は、図１０、及び図１１で示す如く円形状に、ボルト、及びナット等の締付により、形成した構成として、ラグ当具５２ａを廃止した構成である。  
【００３５】
これにより、前記ラグ当具５２ａを廃止できて、コスト低減ができる。  
【図面の簡単な説明】   
【図１】 補助移送装置部の拡大側面図  
【図２】 補助移送装置部の一部断面した拡大平面図  
【図３】 補助移送装置部の拡大側面図  
【図４】 刈取機の拡大側面図  
【図５】 内・外ガイド板部の拡大側面図  
【図６】 内・外ガイド板部の拡大正面図  
【図７】 スクレ−パ部の平面図  
【図８】 スクレ−パ部の拡大側面斜視図  
【図９】 コンバインの全体側面図  
【図１０】 他の実施例を示す図で、スクレ−パ部の平面図  
【図１１】 他の実施例を示す図で、スクレ−パ部の拡大側面斜視図  
【符号の説明】
２  走行車台  
３  刈取機  
６  供給チエン  
７  内補助移送チエン  
９  脱穀機  
１０  フィ−ドチエン  
１１  挾持杆  
１２  内ガイド板  
２４  穂先移送装置  
２９  突出部  
３０  突出部  
Ｈ１  高さ  
Ｈ２  高さ